(57)【要約】【課題】被対象物におけるＬ型アミノ酸の生成を促進させ、Ｄ型アミノ酸の生成を抑制させる。【解決手段】光の入光側に配置され、入光する光を直線偏光に変換する直線偏光板１１１と、直線偏光板１１１の吸収軸Ａｘａｉに対して光学軸Ａｘｂｉの傾きが４５°となるように直線偏光板１１１の出光側に配置され、直線偏光板１１１で変換された直線偏光にλ／４の位相差を与えて右円偏光に変換する１／４波長板１１２とを有する右円偏光フィルタ１１と、右円偏光フィルタ１１を保持するフレーム１２とを備える。【選択図】図３
2017097213.tif 000002
【特許請求の範囲】
【請求項１】
入光される光を直線偏光に変換する直線偏光板と、
前記直線偏光板の吸収軸に対して光学軸の傾きが４５°となるように前記直線偏光板の出光側に一体成型され、前記直線偏光板で変換された直線偏光にλ／４の位相差を与えて右円偏光に変換する１／４波長板とを有する右円偏光フィルタと、
前記右円偏光フィルタの直線偏光板側を前記光の入光側に向けて、この右円偏光フィルタを保持するフレームと、
を備え、
前記右円偏光フィルタから出射される右円偏光を、アミノ酸を組成物とする被対象物に受光させてＬ型アミノ酸の生成を促進せることを特徴とする右円偏光変換装置。
【請求項２】
前記右円偏光フィルタは、直線偏光板の入光側に、さらに、入光側用１／４波長板を有する
ことを特徴とする請求項１記載の右円偏光変換装置。
【請求項３】
前記右円偏光フィルタは、前記１／４波長板と前記入光側用１／４波長板との間に、さらに吸収軸の方向が同一な複数の直線偏光板を有する
ことを特徴とする請求項２記載の右円偏光変換装置。
【請求項４】
前記フレームは、入光される光の方向を軸として前記右円偏光フィルタを回動可能に支持する
ことを特徴とする請求項１〜３のいずれか１項に記載の右円偏光変換装置。
【請求項５】
前記フレームは、前記右円偏光フィルタを着脱自在に形成される
ことを特徴とする請求項１〜３のいずれか１項に記載の右円偏光変換装置。
【請求項６】
請求項１〜５のいずれか１項に記載のフレームは、サングラスのフレームであることを特徴とする右円偏光変換装置。
【発明の詳細な説明】
【技術分野】
【０００１】
本発明は、自然光を右円偏光に変換する右円偏光変換装置に関する。
【背景技術】
【０００２】
強い光から目を保護するものとして、紫外線カット用のメガネやサングラスがある。紫外線カット用のメガネやサングラスは、レンズに紫外線吸収剤がコーティング又は配合され、この紫外線吸収剤が紫外線を吸収する。そのため、紫外線カット用のメガネやサングラスの着用者は、光に含まれる紫外線から目を保護し、角膜や水晶体等の組織の破壊を軽減させることができる。
【０００３】
一方、水面や路面からの照り返し等の反射光を防いで視界をクリアにするものとして、偏光グラスがある。偏光グラスは、偏光板（「偏光フィルム」ともいう）をレンズに貼付し、偏光板により、着用者の目に届ける光に含まれる反射光をカットする。この偏光グラスは、反射光から目の組織を保護するとともに、視界をクリアにすることが可能であり、釣り、スポーツ又は自動車の運転等のクリアな視界が必要な場面で多く利用される。
【０００４】
その他、３次元映像観賞用の３Ｄメガネとして、位相差フィルム（「波長板」ともいう）や偏光板を利用するものもある（例えば、特許文献１参照）。
【０００５】
特許文献１に記載される３Ｄメガネは、右目用と左目用の視差のある映像を異なる偏光で出力する３次元画像表示装置に対応し、右目用のレンズと左目用のレンズとで異なる偏光を通過させる。このような３Ｄメガネの着用者は、３次元画像表示装置からの映像を３次元映像として認識することができる。
【０００６】
ところで、動物や植物等の生物の細胞はタンパク質で構成され、このタンパク質は複数種のアミノ酸で構成される。図１９に一例を示すように、アミノ酸には、鏡像関係の構造にあるＬ型アミノ酸（図１９（ａ））とＤ型アミノ酸（図１９（ｂ））とがあるが、生物は、主に、Ｌ型アミノ酸のみを持つ。Ｄ型アミノ酸はタンパク質合成の酵素に結合しないため、人は、仮にＤ型アミノ酸を取り込んだとしても、このＤ型アミノ酸を体外に排出する。
【０００７】
しかしながら、例えば、活性酸素や紫外線等のストレスが人の細胞に加えられると、体内でＤ型アミノ酸が生成されることがある。体内には、Ｄ型アミノ酸を分解する酵素が存在する。したがって、体外に排出しきれないＤ型アミノ酸や、分解しきれないＤ型アミノ酸は体内に蓄積される。
【０００８】
このようにして体内に蓄積されたＤ型アミノ酸は、人の健康等を害する原因となると考えられている（例えば、非特許文献１参照）。
【０００９】
例えば、水晶体に蓄積されるＤ型アミノ酸が、白内障の原因の一つになると考えられている。水晶体は、血管が通っていないことから体内の他の部分と比較して代謝がきわめて悪く、Ｄ型アミノ酸を蓄積しやすい性質がある。そのため、このように蓄積したＤ型アミノ酸が水晶体の構造を乱し、白内障の原因になると考えられている（例えば、非特許文献２及び３参照）。
【先行技術文献】
【特許文献】
【００１０】
【特許文献１】特開２０１３−６１６００号公報
【非特許文献】
【００１１】
【非特許文献１】木野内忠稔、他２名、「哺乳類におけるD-アミノ酸の動態とその重要性--遊離型D-アミノ酸とD-アミノ酸含有蛋白質の代謝とその制御機構」、共立出版、蛋白質 核酸 酵素、2005年、Vol.50 No.5、p.453-460
【非特許文献２】http://www.nikon.co.jp/channel/light/chap02/sec05/
【非特許文献３】http://www.jst.go.jp/report/2009/091215.html
【発明の概要】
【発明が解決しようとする課題】
【００１２】
上述した従来の紫外線をカットするメガネ又はサングラスは、紫外線を防ぐことが可能である。また、偏光板を利用する偏光グラスは、反射光を防ぐことが可能である。さらに、偏光板はメガネに利用され、３次元映像を観賞することが可能である。
【００１３】
しかしながら、従来、Ｄ型アミノ酸が人の健康に与える影響を考慮するメガネは存在しない。
【００１４】
一方、人をはじめとする動物や植物等の生物は、上述したように、Ｄ型アミノ酸によって影響を受けることが分かっている。具体的には、Ｄ型アミノ酸の生成を抑制し、Ｌ型アミノ酸の生成を促進することで、生物の細胞は活性化する。例えば、人であれば、Ｄ型アミノ酸の生成を抑制し、Ｌ型アミノ酸の生成を促進することで、健康の維持を図ることができる。
【００１５】
したがって、本発明では、光を受光しうる生物（被対象物）において、Ｌ型アミノ酸の生成を促進し、Ｄ型アミノ酸の生成を抑制することを目的とする。
【課題を解決するための手段】
【００１６】
上記目的を達成するために、第１の発明は、入光される光を直線偏光に変換する直線偏光板と、前記直線偏光板の吸収軸に対して光学軸の傾きが４５°となるように前記直線偏光板の出光側に一体成型され、前記直線偏光板で変換された直線偏光にλ／４の位相差を与えて右円偏光に変換する１／４波長板とを有する右円偏光フィルタと、前記右円偏光フィルタの直線偏光板側を前記光の入光側に向けて、この右円偏光フィルタを保持するフレームとを備え、前記右円偏光フィルタから出射される右円偏光を、アミノ酸を組成物とする被対象物に受光させてＬ型アミノ酸の生成を促進せることを特徴とする。
【００１７】
第２の発明は、前記右円偏光フィルタは、直線偏光板の入光側に、さらに、入光側用１／４波長板を有することを特徴とする。
【００１８】
第３の発明は、前記右円偏光フィルタは、前記１／４波長板と前記入光側用１／４波長板との間に、さらに吸収軸の方向が同一な複数の直線偏光板を有することを特徴とする。
【００１９】
第４の発明は、前記フレームは、入光される光の方向を軸として前記右円偏光フィルタを回動可能に支持することを特徴とする。
【００２０】
第５の発明は、前記フレームは、右円偏光フィルタを着脱自在に形成されることを特徴とする。
【００２１】
第６の発明は、前記フレームは、サングラスのフレームであることを特徴とする。
【発明の効果】
【００２２】
本発明によれば、被対象物におけるＬ型アミノ酸の生成を促進させるとともに、Ｄ型アミノ酸の生成を抑制させることができる。
【図面の簡単な説明】
【００２３】
【図１】図１は、光の構成を説明する図である。
【図２】図２は、右円偏光を説明する図である。
【図３】図３は、第１実施形態に係る右円偏光サングラスを説明する斜視図である。
【図４】図４は、図１の右円偏光サングラスの右円偏光フィルタを説明する概略図である。
【図５】図５は、図１の右円偏光サングラスの直線偏光板及び１／４波長板の配置関係とこれらを通過する光を説明する概略図である。
【図６】図６は、図１の右円偏光サングラスの直線偏光板及び１／波長板を通過する光の波の方向を説明する概略図である。
【図７】図７は、直線偏光板の吸収軸がＸ軸と平行な場合の光の変換を説明する図である。
【図８】図８は、直線偏光板の吸収軸がＹ軸と平行な場合の光の変換を説明する図である。
【図９】図９は、図１の右円偏光サングラスにおける右円偏光フィルタの固定方法を説明する斜視図である。
【図１０】図１０は、第１実施形態の変形例１に係る右円偏光サングラスを説明する斜視図である。
【図１１】図１１は、第１実施形態の変形例２に係る右円偏光サングラスを説明する図である。
【図１２】図１２は、第２実施形態に係る右円偏光サングラスを説明する斜視図である。
【図１３】図１３は、第２実施形態に係る右円偏光サングラスの構造を説明する斜視図である。
【図１４】図１４は、第３実施形態に係る右円偏光サングラスを説明する斜視図である。
【図１５】図１５は、第３実施形態に係る右円偏光サングラスの他の形態を説明する斜視図である。
【図１６】図１６は、図１５の右円偏光サングラスにおける右円偏光フィルタの固定方法を説明する図である。
【図１７】図１７は、第４実施形態に係る右円偏光サングラスの右円偏光フィルタを説明する概略図である。
【図１８】図１８は、第５実施形態に係る右円偏光サングラスの右円偏光フィルタを説明する概略図である。
【図１９】図１９は、Ｌ型アミノ酸とＤ型アミノ酸の一例を示す図である。
【発明を実施するための形態】
【００２４】
《アミノ酸と光について》
体内におけるＬ型アミノ酸とＤ型アミノ酸の生成について考える。活性酸素や紫外線等の刺激をアミノ酸に加えると、アミノ酸の状態が不安定になり、アミノ酸のＬ型とＤ型とが不定となる状況が生じる。アミノ酸が、安定状態に落ち着いたとき、Ｌ型アミノ酸になるかＤ型アミノ酸になるかが確率的に決定される。
【００２５】
したがって、体内でＤ型アミノ酸の生成を抑制するとともにＬ型アミノ酸の生成を促進するためには、アミノ酸が不安定となった後、安定状態に戻るときに、Ｄ型アミノ酸の生成を抑制し、Ｌ型アミノ酸の生成を促進する「力場」があればよいと考えられる。
【００２６】
ところで、光は電磁波であり、例えば、図１に示すように、電場（Ｅ）と磁場（Ｂ）によって表される。図１において、光はＺ方向に進むものとする。なお、図１では、電場と磁場を用いて光を表しているが、電場ベクトルと磁場ベクトルの関係は定まっているため、電場ベクトルのみで光を表すこともある。
【００２７】
光は、波の振動方向に応じて、自然光、直線偏光、楕円偏光又は円偏光に分類される。具体的には、自然光は、振動方向がそろっていない光であり、直線偏光は、振動方向が一直線上の光である。また、楕円偏光は、楕円を描いて振動する光であり、円偏光は、円を描いて振動する光である。
【００２８】
円偏光を電場ベクトルＥで表す場合、図２に示すように、電場ベクトルＥが、らせん状にねじれたものとして表される。なお、図２において、電場ベクトルＥは、ｘ成分Ｅｘとｙ成分Ｅｙとの合成で表される。ここで、「右円偏光」とは、図２に示すように、「光の進行方向Ｚからみて、電場ベクトルＥの軌跡が右回りの円で回転するもの」である。また、「左円偏光」は「光の進行方向Ｚからみて、電場ベクトルＥの軌跡が反対に左回りの円で回転するもの」である。
【００２９】
アミノ酸は、電気的に中性ではなく、多重にプラスとマイナスに分極している。そのため、電気的にねじれた空間において、アミノ酸には、ねじる力が働くと考えられる。したがって、円偏光の電界を力場とし、アミノ酸に電気的にねじる力を与えることにより、この円偏光の回転方向で、Ｄ型もしくはＬ型のアミノ酸の生成の促進及び抑制を制御することができると考えられる。
【００３０】
タンパク質により作られるアミノ酸の構造として、αヘリックスと呼ばれる右らせん構造が随所にみられる。したがって、Ｌ型アミノ酸にも「右らせん構造」がみられる。
【００３１】
図２に示すように、右円偏光の電場は、アミノ酸の構造である右らせん構造を維持する力場を与えやすくなっていると考えられる。したがって、人に右円偏光が照射されると、体内ではタンパク質が、右円偏光がもつ右らせん型に分布した電場に曝され、Ｄ型アミノ酸を本来の構造である右らせん構造のＬ型アミノ酸に戻そうとする力が働くと考えられる。
【００３２】
このように、人に右円偏光を照射することで、体内におけるＤ型アミノ酸の生成を抑制するとともにＬ型アミノ酸の生成を促進し、人の健康への弊害を抑制するとともに、人の健康に貢献することが可能となる。また、人のみならず、動物及び植物等の他のアミノ酸を組成物とする生物（総称して被対象物という）についても、右円偏光を照射し、Ｄ型アミノ酸の生成を抑制するとともにＬ型アミノ酸の生成を促進することで、細胞を活性化させることが期待できる。
【００３３】
本発明に係る右円偏光変換装置は、被対象物に対して右円偏光を照射し、Ｄ型アミノ酸の生成を抑制するとともにＬ型アミノ酸の生成を促進することで、細胞を活性化させることができる。この右円偏光変換装置の一例としてサングラスを以下に説明する。このサングラスを実施の形態では右円偏光サングラスと称する。
【００３４】
〈第１実施形態〉
図３は、第１実施形態に係る右円偏光サングラス１Ａの斜視図である。図４は、右円偏光サングラス１Ａのレンズ部分であるフィルタの斜視図である。図４においては右円偏光サングラス１Ａのレンズ部分をまる型で示している。
【００３５】
図３に示すように、右目用のフィルタは右目用フィルタ１１Ｒと称し、左目用のフィルタは左目用フィルタ１１Ｌと称する。右目用フィルタ１１Ｒと左目用フィルタ１１Ｌとを総称して右円偏光フィルタ１１と称する。右円偏光サングラス１Ａは、この右円偏光フィルタ１１と、右円偏光フィルタ１１を支持するフレーム１２とを備えている。
【００３６】
光はサングラスの外側から内側（着用者側）に進むため、図３に示すように、Ｚ方向に光が進むものとする。また、右円偏光フィルタ１１である右目用フィルタ１１Ｒと左目用フィルタ１１Ｌは同一の構成である。
【００３７】
この右円偏光フィルタ１１（１１Ｒ、１１Ｌ）は、直線偏光板１１１と１／４波長板１１２とを一体化したフィルム状のシートを切断して得ている。
【００３８】
そして、右円偏光フィルタ１１（１１Ｒ、１１Ｌ）は、直線偏光板１１１が光の入光側になるようにフレーム１２に取り付けられている。
【００３９】
すなわち、一般的なサングラスとは違い、右円偏光の光が目に入射するようにしている。このため、Ｄ型アミノ酸の生成を抑制するとともにＬ型アミノ酸の生成を促進するので細胞を活性化させることが期待できる。従って、第１実施形態に係る右円偏光サングラス１Ａによって白内障等の抑制、防止ができる。さらに、右円偏光フィルタ１１は、光の吸収軸（「透過軸」ともいう）は最も効率良く光が吸収される方向にされてフレーム１２に取り付けられている。
【００４０】
この右円偏光フィルタ１１（１１Ｒ、１１Ｌ）について図４を用いて説明する。
【００４１】
直線偏光板１１１は、通過光を直線偏光に変換するフィルタである。
【００４２】
１／４波長板１１２（「λ／４位相差板」ともいう）は、通過する光にλ／４の位相差を与えるフィルタである。
【００４３】
右円偏光フィルタ１１（１１Ｒ、１１Ｌ）を構成している直線偏光板１１１は、吸収軸Ａｘａｉが水平になるようにされている。また、１／４波長板１１２は、光学軸Ａｘｂｉが直線偏光板１１１の吸収軸Ａｘａｉに対して４５°となるようにされている。すなわち、１／４波長板１１２は、直線偏光板１１１からの直線偏光が光学軸Ａｘｂｉに対して４５°の角度で入射するように配置される。
【００４４】
したがって、吸収軸Ａｘａｉと光学軸Ａｘｂｉとが４５°の関係である直線偏光板１１１及び１／４波長板１１２を通過した自然光Ｌａは右円偏光Ｌｃに変換される。
【００４５】
図５及び図６を用いて直線偏光板１１１及び１／４波長板１１２を通過する光及び通過した光について詳細に説明する。図５は、直線偏光板１１１及び１／４波長板１１２の配置関係を説明する概略図である。図６は、直線偏光板１１１及び１／４波長板１１２を通過する光又は通過した光Ｌａ〜Ｌｃの波の方向を説明する概略図である。
【００４６】
但し、図５は理解を容易にするために、直線偏光板１１１及び１／４波長板１１２を正方形で表す。直線偏光板１１１の吸収軸Ａｘａｉを直線偏光板１１１の対角を結ぶ４５度の線として示して説明する。また、１／４波長板１１２の中心を通る垂直線を光学軸Ａｘｂｉとして説明する。
【００４７】
図５に示すように、光がＺ方向に進むとした場合、直線偏光板１１１及び１／４波長板１１２は、Ｚ軸と直交するＸＹ平面に配置されるものとする。右円偏光サングラス１Ａの場合、Ｚ方向に進む光は、外界から着用者の目に入る光である。
【００４８】
まず、図５に示すように、直線偏光板１１１に自然光である光Ｌａが入射するものとする。図５において光Ｌａの波の図示を省略しているが、光Ｌａは、自然光であるため電場や磁場の振動方向が揃っていない。例えば、図６（ａ）に示すように、点Ａにおける光ＬａをＸＹ平面上で光の進行方向から観察すると、Ｚ軸と垂直な任意の方向に一様に分布する波で構成される。
【００４９】
光Ｌａは、直線偏光板１１１に入射すると、直線偏光板１１１の吸収軸Ａｘａｉに応じて直線偏光の光Ｌｂとなる。したがって、図６（ｂ）に示すように、点Ｂにおける光ＬｂをＸＹ平面上で光の進行方向から観察すると、直線上を往復運動する波で構成される。
【００５０】
光Ｌｂは、１／４波長板１１２に入射すると、位相差が与えられ、右円偏光の光Ｌｃとなる。したがって、図６（ｃ）に示すように、点Ｃにおける光ＬｃをＸＹ平面上で光の進行方向から観察すると、右回りの円を描く波で構成されることになる。
【００５１】
このように、自然光である光Ｌａが直線偏光板１１１、１／４波長板１１２の順で通過し、右円偏光に変換された光Ｌｃが着用者の目に入る。
【００５２】
図７及び図８は、直線偏光板１１１の吸収軸Ａｘａｉが異なる方向に設定された場合における光の変換を説明する図である。具体的には、図７は、光がＺ方向に進むとしたとき、直線偏光板１１１の吸収軸ＡｘａｉがＸ軸と平行な場合の例である。また、図８は、光がＺ方向に進むとしたとき、直線偏光板１１１の吸収軸ＡｘａｉがＹ軸と平行な場合の例である。なお、光ＬαはＸ軸と直交し、光ＬβはＸ軸ともＹ軸とも直交せず、光ＬγはＹ軸と直交するものとする。
【００５３】
図７及び図８においては説明のため、直線偏光板１１１と１／４波長板１１２が接していないが、実際は、図４を用いて上述したように、直線偏光板１１１と１／４波長板１１２とは一体形成され、吸収軸Ａｘａｉと光学軸Ａｘｂｉとが４５°の関係である。
【００５４】
図７に示すように、吸収軸ＡｘａｉがＸ軸と平行な場合に光Ｌα，Ｌβ，Ｌγが直線偏光板１１１に入光されると、吸収軸Ａｘａｉと直交する光Ｌαは直線偏光板１１１を通過することができずに遮断される。
【００５５】
そして、光Ｌβ，光Ｌγのみが直線偏光板１１１を通過する。また、直線偏光板１１１を通過する光は、全て吸収軸Ａｘａｉに応じた直線偏光Ｌｂとなる。なお、光Ｌβが直線偏光Ｌｂに変換されるとき、光Ｌβの傾きと吸収軸Ａｘａｉの方向に応じて光の強度が変更される。
【００５６】
上述したように、１／４波長板１１２は、光学軸Ａｘｂｉが直線偏光板１１１の吸収軸Ａｘａｉに対して４５°の傾きで配置されているので、図７に示すように、直線偏光Ｌｂは、１／４波長板１１２を通過すると、右円偏光Ｌｃとなる。
【００５７】
図８に示すように、吸収軸ＡｘａｉがＹ軸と平行な場合に光Ｌα，Ｌβ，Ｌγが直線偏光板１１１に入光されると、吸収軸Ａｘａｉと直交する光Ｌγは直線偏光板１１１を通過することができずに遮断され、光Ｌα，光Ｌβのみが直線偏光板１１１を通過する。また、直線偏光板１１１を通過する光は、全て吸収軸Ａｘａｉに応じた直線偏光Ｌｂとなる。なお、ここでも、光Ｌβが直線偏光Ｌｂに変換されるとき、光Ｌβの傾きと吸収軸Ａｘａｉの方向に応じて光の強度が変更される。
【００５８】
図８に示すように、その後、直線偏光Ｌｂは、１／４波長板１１２を通過すると、右円偏光Ｌｃとなる。
【００５９】
１／４波長板１１２で変換された右円偏光Ｌｃは、着用者の目から体内に届けられる。そうすると、着用者の体内において、右円偏光Ｌｃによって右らせんを維持する力場が与えられることになる。これにより、Ｌ型アミノ酸の生成が促進され、Ｄ型アミノ酸の生成が抑制される。
【００６０】
図７及び図８を用いて上述したように、直線偏光板１１１は、吸収軸Ａｘａｉと直交する直線偏光は通過させない。したがって、特定の直線偏光を見る場合、直線偏光板１１１の吸収軸Ａｘａｉが対象の直線偏光と直交しないような右円偏光サングラス１Ａを選択する必要がある。
【００６１】
例えば、液晶テレビやパソコンの液晶ディスプレイは、特定の直線偏光のみを出力する。仮に、吸収軸ＡｘａｉがＸ軸と平行な右円偏光サングラス１Ａを着用してＸ軸と直交する直線偏光を出力する液晶ディスプレイを使用する場合、直線偏光板１１１は、液晶ディスプレイが出力する直線偏光を通過させない。
【００６２】
また、仮に、吸収軸ＡｘａｉがＹ軸と平行な右円偏光サングラス１Ａを着用してＹ軸と直交する直線偏光を出力する液晶ディスプレイを使用する場合、直線偏光板１１１は、液晶ディスプレイが出力する直線偏光を通過させない。
【００６３】
したがって、このような特定の直線偏光を利用する場合、利用対象の直線偏光と直交しない吸収軸Ａｘａｉの直線偏光板１１１の右円偏光サングラス１Ａを選択する必要がある。そのため、右円偏光サングラス１Ａを生成する際、直線偏光板１１１の吸収軸Ａｘａｉの方向が区別できるよう、右円偏光サングラス１Ａにその方向を付すようにしてもよい。このとき、吸収軸Ａｘａｉの方向が９０°異なる二つの右円偏光サングラス１Ａが少なくともあれば、全ての振動方向の直線偏光に対応することができる。
【００６４】
また、フレーム１２は、面が歪むことないように右円偏光フィルタ１１を支持することが好ましい。右円偏光フィルタ１１が歪んでフレーム１２に支持された場合、着用者への右円偏光の入射率が低下するおそれがあるためである。
【００６５】
なお、フレーム１２が右円偏光フィルタ１１を支持する際、右円偏光フィルタ１１がずれることがないよう、例えば、図９に示すような構成にしてフレーム１２に右円偏光フィルタ１１を固定することができる。図９（ａ）は、フレーム１２の全体を示し、図９（ｂ）は、図９（ａ）のＩ部分を示す。
【００６６】
図９に示す構成では、フレーム１２がネジ孔１３ａを備え、フレーム１２に支持される右円偏光フィルタ１１をネジ１３ｂによって固定するように構成することができる。これにより、フレーム１２に対して吸収軸Ａｘａｉが所望の方向になるように右円偏光フィルタ１１の傾きを微調整したうえでフレーム１２に固定することができる。
【００６７】
なお、ここでは、ネジ１３ｂを利用する一例で説明したが、右円偏光フィルタ１１の固定方法はネジ止めに限定されず、例えば、ネジ１３ｂに代えて孔にプラスチック棒を挿入し、そのプラスチック棒を接着剤で止めることでフレーム１２を固定する方法であってもよい。
【００６８】
上述したように、第１実施形態に係る右円偏光サングラス１Ａを着用することにより、着用者の目には、右円偏光が届けられる。これにより、着用者の体内では、右らせんを維持する力場が与えられ、Ｄ型アミノ酸の生成を抑制するとともに、Ｌ型アミノ酸の生成を促進することができる。したがって、右円偏光サングラス１Ａの着用者は、健康の維持を図ることができる。
【００６９】
例えば、人の目に入る光を右円偏光にすることで、水晶体でのＤ型アミノ酸の生成を抑制することができ、Ｌ型アミノ酸の生成を促進することができる。したがって、右円偏光サングラス１Ａを着用し、目に入る光を右円偏光にすることで、着用者は、視覚を損なうことなく、白内障を予防することができる。
【００７０】
《変形例１》
図１０は、第１実施形態の変形例１に係る右円偏光サングラス１ａである。図３に示す一例の右円偏光サングラス１Ａは、右目用フィルタ１１Ｒと左目用フィルタ１１Ｌとからなる右円偏光フィルタ１１を有する例で説明した。これに対し、図１０に示す右円偏光サングラス１ａのように、右目用と左目用とに分かれず、右目と左目とが一体の右円偏光フィルタ１１を有する構成であってもよい。
【００７１】
図１０に示すように、右円偏光サングラス１ａも、右円偏光フィルタ１１と、右円偏光フィルタ１１を支持するフレーム１２とを備える。
【００７２】
この右円偏光サングラス１ａを着用した場合も、着用者の目には、右円偏光が届けられる。これにより、着用者の目では、右らせんを維持する力が働き、Ｄ型アミノ酸の生成を抑制するとともにＬ型アミノ酸の生成を促進することができる。したがって、右円偏光サングラス１ａを着用し、目に入る光を右円偏光にすることで、着用者は、視覚を損なうことなく、健康の維持を図ることができる。例えば、着用者は、右円偏光サングラス１ａの着用により、白内障を予防することができる。
【００７３】
《変形例２》
図１１は、第１実施形態の変形例２に係る右円偏光サングラス１ｂである。図３に示す一例の右円偏光サングラス１Ａは、着用者が右円偏光サングラス１Ａのみを着用する場合が想定されたものである。しかしながら、図１１に示すように、視力矯正用メガネ２を着用する着用者が、この視力矯正用メガネ２の上に右円偏光サングラス１ｂを着用するものであってもよい。
【００７４】
図１１に示すように、右円偏光サングラス１ｂも、右目用フィルタ１１Ｒと左目用フィルタ１１Ｌとからなる右円偏光フィルタ１１と、右円偏光フィルタ１１を支持するフレーム１２とを備える。なお、図示は省略するが、右目と左目とが一体の右円偏光フィルタ１１を有する右円偏光サングラスの場合も、視力矯正用メガネ２の上に着用させるように形成することもできる。
【００７５】
この右円偏光サングラス１ｂを着用した場合も、着用者の目には、右円偏光が届けられる。これにより、着用者の目では、右らせんを維持する力が働き、Ｄ型アミノ酸の生成を抑制するとともにＬ型アミノ酸の生成を促進することができる。したがって、右円偏光サングラス１ｂを着用し、目に入る光を右円偏光にすることで、着用者は、視覚を損なうことなく、健康の維持を図ることができる。例えば、着用者は、右円偏光サングラス１ｂの着用により、白内障を予防することができる。
【００７６】
〈第２実施形態〉
パソコンの液晶ディスプレイ、液晶テレビの偏光方向は様々である。例えば水平方向、垂直方向等がある。このような様々な偏光方向に対しても対応できる右円偏光サングラスを第２実施形態として説明する。
【００７７】
図１２は、第２実施形態に係る右円偏光サングラス１Ｂの斜視図である。また、図１３は、右円偏光サングラス１Ｂの構造を説明する概略図である。図１２に示すように、右円偏光サングラス１Ｂは、右目用フィルタ１１Ｒ及び左目用フィルタ１１Ｌとからなる右円偏光フィルタ１１と、右円偏光フィルタ１１を支持するフレーム１２ｂとを備える。第２実施形態に係る右円偏光サングラス１Ｂは、フレーム１２ｂが、右目用フィルタ１１Ｒを点Ｃ１を中心として回動可能に支持し、左目用フィルタ１１ＬをＣ２を中心として回動可能に支持する点で異なる。
【００７８】
フレーム１２ｂの構成は限定されないが、例えば、図１２及び図１３に示すように、リム１２１が、ブリッジ１２２及び智１２３に固定される固定部１２１ａと、固定部１２１ａと接続され、円形状のフィルタ１１Ｒ，１１Ｌを支持するとともに回動可能な回動部１２１ｂとを備える。このフレーム１２ｂは、樹脂や金属等の材料により形成される。また、図１２において、回動部１２１ｂには、その回動の状態を表すマークＭｂが付されている。
【００７９】
図１２（ａ）に示す例は、直線偏光板１１１の吸収軸Ａｘａｉが、Ｘ軸と平行な状態である。これに対し、回動部１２１ｂを回動させることで、図１２（ｂ）に示すように、点Ｃ１，Ｃ２を軸として右目用フィルタ１１Ｒ及び左目用フィルタ１１Ｌを４５°回転させる。これにより、直線偏光板１１１の吸収軸ＡｘａｉをＹ軸と平行な状態にすることができる。
【００８０】
図１３（ａ）は、フレーム１２ｂの構成を説明するため、左目用の固定部１２１ａから回動部１２１ｂが取り外され、回動部１２１ｂの溝部１２４から左目用フィルタ１１Ｌが取り外された斜視図である。また、図１３（ｂ）は、その拡大図である。
【００８１】
図１３（ｂ）に示すように、例えば、固定部１２１ａは、複数の凹部１４（１４ａ，１４ｂ，１４ｃ）を有する。また、回動部１２１ｂは、凸部１５を有する。回動部１２１ｂは、回動された後、その凸部１５が、固定部１２１ａのいずれかの凹部１４に合わせることで、回動を停止させて吸収軸Ａｘａｉの方向を安定させることができる。
【００８２】
上述したように、第２実施形態に係る右円偏光サングラス１Ｂを着用することにより、着用者の目には、右円偏光が届けられる。これにより、着用者の目では、右らせんを維持する力が働き、Ｄ型アミノ酸の生成を抑制するとともにＬ型アミノ酸の生成を促進することができる。したがって、右円偏光サングラス１Ｂを着用し、目に入る光を右円偏光にすることで、着用者は、視覚を損なうことなく、健康の維持を図ることができる。例えば、着用者は、右円偏光サングラス１Ｂの着用により、白内障を予防することができる。
【００８３】
また、第２実施形態に係る右円偏光サングラス１Ｂは、右円偏光フィルタ１１を点Ｃ１，Ｃ２を中心として回動させることができる。したがって、仮に、特定の直線偏光を出力する装置からの光であっても、その直線偏光に合わせて吸収軸Ａｘａｉを変化させ、直線偏光を通過させることができる。
【００８４】
〈第３実施形態〉
また、液晶ディスプレイ等が出力する直線偏光の偏光方向に応じて事前に直線偏光板の吸収軸を合わせた右円偏光フィルタツールを複数用意して、液晶ディスプレイ等が出力する直線偏光の偏光方向に応じた右円偏光フィルタツールをフレームに挿入してもよい。これを第３実施形態として説明する。
【００８５】
図１４は、第３実施形態に係る右円偏光サングラス１Ｃの斜視図である。図１４に示すように、右円偏光サングラス１Ｃは、右円偏光フィルタツール１１ｃをフレーム１２ｃで着脱可能に保持している。
【００８６】
例えば、図１４に示すように、フレーム１２ｃは、リム１２１ｃがレンズの下側のみに存在し、レンズの上側にはリムが存在しないアンダーリム形式であって、そのリム１２１ｃに右円偏光フィルタツール１１ｃを挿入自在な溝部１２４を有する。
【００８７】
また、右円偏光サングラス１Ｃでは、直線偏光板１１１の吸収軸Ａｘａｉの方向が異なる複数の右円偏光フィルタツール１１ｃが用意される。
【００８８】
この右円偏光サングラス１Ｃを使用する際、着用者は、用途に合わせ、複数の吸収軸Ａｘａｉの方向から選択された吸収軸Ａｘａｉの方向の右円偏光フィルタツール１１ｃを選択し、選択した吸収軸Ａｘａｉの方向の右円偏光フィルタツール１１ｃをリム１２１ｃの溝部１２４に挿入する。
【００８９】
ここで、右円偏光フィルタツール１１ｃにおいて、フィルタの周囲が枠部１１３に囲まれている。例えば、枠部１１３は、樹脂等の材料で形成される。
【００９０】
右円偏光フィルタツール１１ｃは、厚さが１ｍｍ前後と薄いフィルタであるため、溝部１２４に歪みなく挿入することが困難である。また、右円偏光フィルタツール１１ｃをフレーム１２ｃから着脱したり、フレーム１２ｃから外したものを保存する際にも外から加えられる力によって歪みやすい。したがって、右円偏光フィルタツール１１ｃでは、フィルタを枠部１１３によって囲むことにより、外から加えられる力から薄いフィルタを保護することができる。
【００９１】
また、この右円偏光フィルタツール１１ｃは、右目用フィルタ１１Ｒと左目用フィルタ１１Ｌとがある。図１４は右目用フィルタ１１Ｒをリム１２１ｃの右側の溝部１２４にはめ込んだ状態とし、左目用フィルタ１１Ｌを１２１ｃの左側の溝部１２４にはめ込むときの状態を示している。
【００９２】
図１４（ａ）は、吸収軸ＡｘａｉがＸ軸と平行な右円偏光フィルタツール１１ｃを使用する場合の一例である。また、図１４（ｂ）は、吸収軸ＡｘａｉがＹ軸と平行な右円偏光フィルタツール１１ｃを使用する場合の一例である。
【００９３】
このように、右円偏光フィルタツール１１ｃを挿入自在な溝部１２４を有するフレーム１２ｃと吸収軸Ａｘａｉの方向が異なる複数の右円偏光フィルタツール１１ｃとによって組合せ自在な右円偏光サングラス１Ｃを構成する。
【００９４】
ここで、右円偏光フィルタツール１１ｃは、外側が直線偏光板１１１となり、着用者側が１／４波長板１１２となるように溝部１２４に挿入する必要がある。したがって、図１４に一例を示すように、どちらを外側にしてどちらを着用者側にするかを区別するマークＭｃを右円偏光フィルタツール１１ｃに付すことが好ましい。マークＭｃを付す位置は、着用者が右円偏光サングラス１Ｃを着用した際に視覚を妨げない位置であれば限定されない。
【００９５】
なお、図１４では、２種類の吸収軸Ａｘａｉの方向の右円偏光フィルタツール１１ｃのみ示しているが、その種類の数は限定されない。液晶テレビや液晶ディスプレイ等が出力する直線偏光の方向に合わせた吸収軸Ａｘａｉの方向の右円偏光フィルタツール１１ｃを作成することができる。
【００９６】
また、図１４で示す例は、溝部１２４を有するアンダーリム形式のフレーム１２ｃに右円偏光フィルタツール１１ｃを挿入するものであるが、フレームから右円偏光フィルタツールを着脱自在であれば、その形状は限定されない。例えば、図１５に示すように、リムの上側に右円偏光フィルタツール１１ｃの着脱に利用する開口部１２５が設けられるフレーム１２ｄを利用することもできる。
【００９７】
図１５に示すようなフレーム１２ｂの開口部１２５から右円偏光フィルタ１１を挿入する構成では、挿入した右円偏光フィルタ１１が、フレーム１２ｂ内でずれたり外れたりすることのないようにフレーム１２ｂに固定される必要がある。例えば、図１６に示すように、右円偏光フィルタ１１の周囲を囲む枠部１１３に凹部１６ａを設け、フレーム１２ｂに凸部１６ｂを設ける。これにより、開口部１２５からフレーム１２ｂに右円偏光フィルタ１１を挿入した際、フレーム１２ｂの凸部１６ｂに枠部１１３の凹部１６ａを係合し、フレーム１２ｂに右円偏光フィルタ１１を固定させることができる。
【００９８】
上述したように、第３実施形態に係る右円偏光サングラス１Ｃを着用することにより、着用者の目には、右円偏光が届けられる。これにより、着用者の目では、右らせんを維持する力が働き、Ｄ型アミノ酸の生成を抑制するとともにＬ型アミノ酸の生成を促進することができる。したがって、右円偏光サングラス１Ｂを着用し、目に入る光を右円偏光にすることで、着用者は、視覚を損なうことなく、健康の維持を図ることができる。例えば、着用者は、右円偏光サングラス１Ｃの着用により、白内障を予防することができる。
【００９９】
また、第３実施形態に係る右円偏光サングラス１Ｃは、右円偏光フィルタツール１１ｃの吸収軸Ａｘａｉの方向を選択することができる。したがって、仮に、特定の直線偏光を出力する装置からの光であっても、その直線偏光に合わせた吸収軸Ａｘａｉの右円偏光フィルタツール１１ｃを選択して利用し、直線偏光を通過させることができる。
【０１００】
〈第４実施形態〉
図１７は、第４実施形態に係る右円偏光サングラスの右円偏光フィルタ１１ｄの構成を説明する図である。図１７に示すように、右円偏光フィルタ１１ｄは、２枚の円偏光フィルタ１１４ａ，１１４ｂで形成される。
【０１０１】
具体的には、各円偏光フィルタ１１４ａ，１１４ｂは、直線偏光板１１１及び１／４波長板で形成される。ここで、右円偏光フィルタ１１ｄは、２枚の円偏光フィルタ１１４ａ，１１４ｂが、直線偏光板１１１が向かい合うように重ね合わされる。このとき、Ｚ方向に光が進むものとする。また、光の入光側の円偏光フィルタを第１円偏光フィルタ１１４ａとし、出光側の円偏光フィルタを第２円偏光フィルタ１１４ｂとする。また、第１円偏光フィルタ１１４ａの直線偏光板を第１の直線偏光板１１１ａ、１／４波長板を第２の１／４波長板１１２ａとする。さらに、第２円偏光フィルタ１１４ｂの直線偏光板を第２の直線偏光板１１１ｂ、１／４波長板を第２の１／４波長板１１２ｂとする。
【０１０２】
このとき、２枚の円偏光フィルタ１１４ａ，１１４ｂは、直線偏光板１１１ａ，１１１ｂの吸収軸Ａｘａｉの方向が一致するように重ね合わされる。また、図１７では図示を省略しているが、第２円偏光フィルタ１１４ｂは、図４等を用いて上述した場合と同様に、第２の直線偏光板１１１ｂの吸収軸Ａｘａｉと第２の１／４波長板１１２ｂの光学軸Ａｘｂｉとが４５°のずれをもつ。
【０１０３】
なお、図１７では、図示は省略するが、第１円偏光フィルタ１１４ａの第１の直線偏光板１１１ａの吸収軸Ａｘａｉと第１の１／４波長板１１２ａの光学軸Ａｘｂｉとの関係は限定されない。したがって、第１円偏光フィルタ１１４ａに代えて、１／４波長板１１２と直線偏光板１１１との組合せであってもよい。
【０１０４】
また、右円偏光フィルタ１１ｄは、図１７に示すように、２枚の円偏光フィルタ１１４ａ，１１４ｂ間には、ギャップを設けてもよいし、２枚の円偏光フィルタ１１４ａ，１１４ｂが一体に形成されてもよい。
【０１０５】
第４実施形態に係る右円偏光サングラスのフレーム等の他の構成については図示を省略するが、その構成は限定されない。例えば、第４実施形態に係る右円偏光サングラスのフレームは、図３を用いて上述したように、右目用フィルタ及び左目用フィルタを支持するフレーム１２と同一の構成にすることができる。
【０１０６】
上述したように、第４実施形態に係る右円偏光サングラスを着用することにより、着用者の目には、右円偏光が届けられる。これにより、着用者の目では、右らせんを維持する力が働き、Ｄ型アミノ酸の生成を抑制するとともにＬ型アミノ酸の生成を促進することができる。したがって、右円偏光サングラスを着用し、目に入る光を右円偏光にすることで、着用者は、視覚を損なうことなく、健康の維持を図ることができる。例えば、着用者は、右円偏光サングラスの着用により、白内障を予防することができる。
【０１０７】
また、図１７を用いて上述したように、第４実施形態に係る右円偏光サングラスは、２枚の円偏光フィルタ１１４ａ，１１４ｂで形成される右円偏光フィルタ１１ｄを有する。これにより、右円偏光フィルタ１１ｄに入射する光が直線偏光であったとしても、光の傾きと直線偏光板１１１の方向に関係なく、光を右円偏光にして着用者の目に届けることができる。
【０１０８】
〈第５実施形態〉
図１８は、第５実施形態に係る右円偏光サングラスの右円偏光フィルタ１１ｅの構成を説明する図である。図１８に示すように、右円偏光フィルタ１１ｅは、１枚の直線偏光板１１１及び２枚の１／４波長板１１２ａ，１１２ｂで形成される。
【０１０９】
具体的には、図１８に示すように、右円偏光フィルタ１１ｅは、直線偏光板１１１が、２枚の１／４波長板１１２ａ，１１２ｂに挟まれる構成である。ここで、光はＺ方向に進むものとする。また、光の入光側の１／４波長板を第１の１／４波長板１１２ａとし、出光側の１／４波長板を第２の１／４波長板１１２ｂとする。
【０１１０】
右円偏光フィルタ１１ｅでは、直線偏光板１１１の吸収軸Ａｘａｉと第２の１／４波長板１１２ｂの光学軸Ａｘｂｉとが４５°のずれをもつ。また、直線偏光板１１１の吸収軸Ａｘａｉと第１の１／４波長板１１２の光学軸Ａｘｂｉとの関係は限定されない。
【０１１１】
第５実施形態に係る右円偏光サングラスのフレーム等の他の構成については限定されない。図示を省略するが、例えば、図３を用いて上述したフレーム１２と同一の構成にすることができる。
【０１１２】
上述したように、第５実施形態に係る右円偏光サングラスを着用することにより、着用者の目には、右円偏光が届けられる。これにより、着用者の目では、右らせんを維持する力が働き、Ｄ型アミノ酸の生成を抑制するとともにＬ型アミノ酸の生成を促進することができる。したがって、右円偏光サングラスを着用し、目に入る光を右円偏光にすることで、着用者は、視覚を損なうことなく、健康の維持を図ることができる。例えば、着用者は、右円偏光サングラスの着用により、白内障を予防することができる。
【０１１３】
また、図１８を用いて上述したように、第５実施形態に係る右円偏光サングラスは、１枚の直線偏光板１１１と、２枚の１／４波長板１１２ａ，１１２ｂで形成される右円偏光フィルタ１１ｄを有する。これにより、右円偏光フィルタ１１ｄに入射する光が直線偏光であったとしても、光の傾きと直線偏光板１１１の方向に関係なく、光を右円偏光にして着用者の目に届けることができる。
【０１１４】
上述した各実施形態では、右円偏光変換装置の一例として、サングラスを用いて説明したが、窓ガラス、ブラインド又はライトカバー等、光が被対象物に照射される場面で使用するものであれば、同様の効果が期待できる。
【０１１５】
以上、各実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【０１１６】
１Ａ，１Ｂ，１Ｃ，１ａ，１ｂ，１ｃ…右円偏光サングラス
１１，１１ｄ，１１ｅ…右円偏光フィルタ
１１ｃ…右円偏光フィルタツール
１１Ｌ…左目用フィルタ
１１Ｒ…右目用フィルタ
１１１，１１１ａ，１１１ｂ…直線偏光板
１１２，１１２ａ，１１２ｂ…１／４波長板
１１４ａ，１１４ｂ…円偏光フィルタ
Ａｘａｉ…吸収軸
Ａｘｂｉ…光学軸
１２，１２ｂ，１２ｃ，１２ｄ…フレーム
１２１，１２１ｃ…リム
１２１ａ…固定部
１２１ｂ…回動部
１２４…溝部
１２５…開口部
【図１】
2017097213.tif 000003
【図２】
2017097213.tif 000004
【図３】
2017097213.tif 000005
【図４】
2017097213.tif 000006
【図５】
2017097213.tif 000007
【図６】
2017097213.tif 000008
【図７】
2017097213.tif 000009
【図８】
2017097213.tif 000010
【図９】
2017097213.tif 000011
【図１０】
2017097213.tif 000012
【図１１】
2017097213.tif 000013
【図１２】
2017097213.tif 000014
【図１３】
2017097213.tif 000015
【図１４】
2017097213.tif 000016
【図１５】
2017097213.tif 000017
【図１６】
2017097213.tif 000018
【図１７】
2017097213.tif 000019
【図１８】
2017097213.tif 000020
【図１９】
2017097213.tif 000021
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
入光される光を直線偏光に変換する直線偏光板と、前記直線偏光板の吸収軸に対して光学軸の傾きが４５°となるように前記直線偏光板の出光側に一体成型され、前記直線偏光板で変換された直線偏光にλ／４の位相差を与えて右円偏光に変換する１／４波長板とを有する右円偏光フィルタと、
前記右円偏光フィルタの直線偏光板側を前記光の入光側に向けて、この右円偏光フィルタを保持するフレームと、を備え、
前記右円偏光フィルタから出射される右円偏光を、アミノ酸を組成物とする被対象物に受光させてＬ型アミノ酸の生成を促進させることを特徴とする右円偏光変換装置。
【請求項２】
前記右円偏光フィルタは、前記直線偏光板の入光側に、さらに、入光側用１／４波長板を有することを特徴とする請求項１に記載の右円偏光変換装置。
【請求項３】
前記右円偏光フィルタは、前記１／４波長板と前記入光側用１／４波長板との間に、さらに吸収軸の方向が同一な複数の直線偏光板を有することを特徴とする請求項２に記載の右円偏光変換装置。
【請求項４】
前記フレームは、入光される光の方向を軸として前記右円偏光フィルタを回動可能に支持することを特徴とする請求項１〜３のいずれか１項に記載の右円偏光変換装置。
【請求項５】
前記フレームは、前記右円偏光フィルタを着脱自在に形成されることを特徴とする請求項１〜３のいずれか１項に記載の右円偏光変換装置。
【請求項６】
前記フレームは、サングラスのフレームであることを特徴とする請求項１〜５のいずれか１項に記載の右円偏光変換装置。
【請求項７】
入光される光を直線偏光に変換する直線偏光板と、
前記直線偏光板の吸収軸に対して光学軸の傾きが４５°となるように前記直線偏光板の出光側に一体成型され、前記直線偏光板で変換された直線偏光にλ／４の位相差を与えて右円偏光に変換する１／４波長板と、を備えることを特徴とする右円偏光フィルタ。
【請求項８】
前記直線偏光板の入光側に、入光側用１／４波長板をさらに有することを特徴とする請求項７に記載の右円偏光フィルタ。
【請求項９】
前記１／４波長板と前記入光側用１／４波長板との間に、吸収軸の方向が同一な複数の直線偏光板をさらに有することを特徴とする請求項８に記載の右円偏光フィルタ。